(57)【要約】【課題】脱穀部で脱穀した後の排稈を後方に搬送する排藁搬送装置と、この排藁搬送装置から搬送される排稈を切断処理するカッターとを備えるコンバインの後処理部における内部点検や掃除が安全に行えるように、機体フレームの脱穀部側の外側面に平行リンクを介して収納自在に設ける補助ステップを改良する。【解決手段】平行リンクＬを介して枢設される補助ステップ２１を脱穀部１３の外側に沿う収納姿勢Ａと、脱穀部１３の外側から突出するステップ姿勢Ｂとに切り換え可能に構成すると共に、前記ステップ姿勢Ｂにおける補助ステップ２１の後端部ｅを、コンバインの後端部Ｅと略一致させ、且つ当該平行リンクＬの前後一対のリンク節２２ｆ，２２ｒのうち、後側のリンク節２２ｒを後処理部１５の下部に設けられた燃料給油口２９の近傍に枢設した。【選択図】図１
2006288291.tif 000002
【特許請求の範囲】
【請求項１】
機体フレーム（１２）の前方に穀稈を刈取る前処理部（１４）を備え、該前処理部（１４）で刈取った穀稈を脱穀して穀粒を選別する脱穀部（１３）と、該脱穀部（１３）で脱穀した後の排稈を機外に排出処理する後処理部（１５）とを、機体フレーム（１２）の左側に前後に連続して配置する一方、機体フレーム（１２）の右側に運転席（１６）と各種操作具を備える操縦部（１７）と、該操縦部（１７）の後方に脱穀部（１３）で選別済みの穀粒を一時的に貯留する穀粒タンク（１８）を備えたコンバイン（１１）において、前記機体フレーム（１２）の脱穀部（１３）側の外側に平行リンク（Ｌ）を介して補助ステップ（２１）を枢設し、該補助ステップ（２１）を脱穀部（１３）の外側に沿う収納姿勢（Ａ）と、脱穀部（１３）の外側から突出するステップ姿勢（Ｂ）とに切り換え可能に構成すると共に、前記ステップ姿勢（Ｂ）における補助ステップ（２１）の後端部（ｅ）を、コンバイン（１１）の後端部（Ｅ）と略一致させたことを特徴とするコンバインの補助ステップ。
【請求項２】
前記平行リンク（Ｌ）を構成する前後一対のリンク節（２２ｆ，２２ｒ）のうち、後側のリンク節（２２ｒ）を後処理部（１５）の下部に設けられた燃料給油口（２９）の近傍に枢設したことを特徴とする請求項１に記載のコンバインの補助ステップ。
【発明の詳細な説明】
【技術分野】
【０００１】
本発明は、機体フレームの脱穀部側の外側面に収納自在に設けるコンバインの補助ステップ構造に関する。
【背景技術】
【０００２】
従来、コンバインの機体フレームに搭載した脱穀部の上蓋を開放して、刈取作業中における穀稈詰り等の内部点検や掃除を行う場合、作業者が安全且つ安定した姿勢で当該作業が行えるように、機体フレームの脱穀部側の外側面に収納自在な平行リンク式の補助ステップを設けたものが知られている（例えば、特許文献１参照。）。
【０００３】
また、車台（機体フレーム）の側枠に基部を枢着した前後一対のアームを回動自由に機体外方に突出させ、両アームの先端部にナローガイドを取り付けると共に、このナローガイドを機体外方に突出させる方向に回動した両アームを受け止める受具付の支持杆を設けることによって、脱穀機（脱穀部）の保守管理作業において、当該ナローガイドを補助ステップとして使用できるように構成したものが知られている（例えば、特許文献２参照。）。
【特許文献１】実開平２−２３４２７号公報（第３−６頁、第１図−第３図）
【特許文献２】特許第３２３５１１８号公報（第２頁、図１−図２）
【発明の開示】
【発明が解決しようとする課題】
【０００４】
しかし、上述した従来の特許文献１における平行リンク式の補助ステップと、特許文献２の如くナローガイドを補助ステップとして使用する構成のものでは、両補助ステップの後端部が脱穀部で脱穀した排稈を後方に搬送する排藁搬送装置と、この排藁搬送装置から搬送される排稈を切断処理するカッターとを備える後処理部の後端部まで延出されておらず、当該後処理部における穀稈詰り等の内部点検や掃除を作業者が安全に行えるようにするには、別途に踏み台を用意しなければならなかった。
【０００５】
また、後処理部の下部に燃料給油口が設けられているコンバインにおいては、前記補助ステップを利用して重量の重い燃料補給用の携行缶を安定姿勢で仮載置可能に構成し、それによって燃料補給作業の作業負荷を軽減させることが期待されていた。
【課題を解決するための手段】
【０００６】
本発明は、上記課題を解決することを目的としたものであって、機体フレームの前方に穀稈を刈取る前処理部を備え、該前処理部で刈取った穀稈を脱穀して穀粒を選別する脱穀部と、該脱穀部で脱穀した後の排稈を機外に排出処理する後処理部とを、機体フレームの左側に前後に連続して配置する一方、機体フレームの右側に運転席と各種操作具を備える操縦部と、該操縦部の後方に脱穀部で選別済みの穀粒を一時的に貯留する穀粒タンクを備えたコンバインにおいて、前記機体フレームの脱穀部側の外側に平行リンクを介して補助ステップを枢設し、該補助ステップを脱穀部の外側に沿う収納姿勢と、脱穀部の外側から突出するステップ姿勢とに切り換え可能に構成すると共に、前記ステップ姿勢における補助ステップの後端部を、コンバインの後端部と略一致させたことを第１の特徴としている。
【０００７】
そして、前記平行リンクを構成する前後一対のリンク節のうち、後側のリンク節を後処理部の下部に設けられた燃料給油口の近傍に枢設したことを第２の特徴としている。
【発明の効果】
【０００８】
請求項１の発明によれば、機体フレームの脱穀部側の外側に平行リンクを介して補助ステップを枢設し、該補助ステップを脱穀部の外側に沿う収納姿勢と、脱穀部の外側から突出するステップ姿勢とに切り換え可能に構成すると共に、前記ステップ姿勢における補助ステップの後端部を、コンバインの後端部と略一致させたことによって、前記補助ステップの後端部に作業者が足を掛けて搭乗した状態で、後処理部における穀稈詰り等の内部点検や掃除が安全に行えるようになり、別途に踏み台を用意しなくても済むので作業性が向上する。
【０００９】
そして、請求項２の発明によれば、前記平行リンクを構成する前後一対のリンク節のうち、後側のリンク節を後処理部の下部に設けられた燃料給油口の近傍に枢設したので、当該補助ステップが脱穀部の外側から突出するステップ姿勢において、前記燃料給油口の近傍に、平行リンクの後側のリンク節と補助ステップの足載せ部による平面視でＴ字状の強固な支持構造が形成され、このＴ字状の強固な支持構造部上に重量の重い燃料補給用の携行缶を安定姿勢で仮載置できるようになり、それによって燃料補給作業における作業負荷が軽減される。
【発明を実施するための最良の形態】
【００１０】
次に、本発明の実施の形態を図面に基づいて説明する。図１は、コンバイン１１の平面図、図２は、コンバイン１１の機体フレーム１２上に搭載される脱穀部１４及び後処理部１５の斜視図、図３は、収納姿勢にある補助ステップ２１の平面図、図４は、ステップ姿勢にある補助ステップ２１の平面図であって、当該コンバイン１１は、図示しない左右一対のクローラ走行装置に機体フレーム１２を支持すると共に、機体フレーム１２の前方には穀稈を刈取りながら脱穀部１３まで搬送する前処理部１４を備えている。
【００１１】
脱穀部１３は機体フレーム１２上の左側前部に設けてあり、この脱穀部１３において前処理部１４で刈取った穀稈を脱穀して穀粒を選別すると共に、脱穀部１３で脱穀した後の 排稈を機外に排出処理する後処理部１５とを、前後に連続して機体フレーム１２上に配置している。
【００１２】
そして、機体フレーム１２の右側前部には、オペレータが着座する運転席１６と各種操作具を備える操縦部１７を配置すると共に、その後方且つ脱穀部１３の右側方には、該脱穀部１３で選別済みの穀粒を一時的に貯留する穀粒タンク１８を設けてあり、この穀粒タンク１８に貯留した穀粒を穀粒排出オーガ１９を介して機外に排出することができるようになっている。
【００１３】
また、機体フレーム１２の脱穀部１３側の外側１２ａには、平行リンクＬを介して補助ステップ２１を枢設すると共に、この補助ステップ２１を、脱穀部１３の外側に沿う収納姿勢Ａと、脱穀部１３の外側から突出するステップ姿勢Ｂとに切り換え可能に構成している。
【００１４】
更に詳しくは、平行リンクＬを構成する前後一対のリンク節２２ｆ，２２ｒの基端部を機体フレーム１２の脱穀部１３側の外側１２ａに枢設すると共に、両リンク節２２ｆ，２２ｒの先端に作業者が足を掛けて搭乗可能な足載せ部２３を連結することによって、機体の前後方向に揺動可能に補助ステップ２１を枢設している。
【００１５】
そして、前後一対のリンク節２２ｆ，２２ｒのうち後側のリンク節２２ｒには、補助ステップ２１を、脱穀部１３の外側に沿う収納姿勢Ａと、脱穀部１３の外側から突出するステップ姿勢Ｂとに切り換えて固定するための係止部材２４，２５を設けている。
【００１６】
この係止部材２４，２５は、断面が略Ω形状のバネ材からなり、図３に示すように補助ステップ２１を脱穀部１３の外側に沿う収納姿勢Ａに固定する時は、機体フレーム１２の外側１２ａに固設した平面視コの字状のバー２６に前記係止部材２４が嵌装するように、当該補助ステップ２１を図中矢印Ｃの如く機体の前方向に揺動させる。
【００１７】
一方、図４に示すように補助ステップ２１を脱穀部１３の外側から突出するステップ姿勢Ｂに固定する時は、後側のリンク節２２ｒの基端部を枢設する支持部２７から機体後方に向け突設したバー２８に前記係止部材２５が嵌装するように、当該補助ステップ２１を図中矢印Ｄの如く機体の後方向に揺動させる。
【００１８】
そして、上述の如く補助ステップ２１を脱穀部１３の外側から突出するステップ姿勢Ｂに固定した時は、当該補助ステップ２１の後端部ｅがコンバイン１１後端部Ｅと略一致するように構成してあり、それによって補助ステップ２１の後端部ｅに作業者が足を掛けて搭乗した状態で、図示しない排藁搬送装置とカッターとを備える後処理部１５における穀稈詰り等の内部点検や掃除が安全に行えるようになり、別途に踏み台を用意しなくても済むので作業性が向上する。尚、図４に示す二点鎖線Ｆは、機体フレーム１２上に設けられる脱穀部１３と後処理部１５の外側面の位置を示したものである。
【００１９】
ところで、平行リンクＬを構成する前後一対のリンク節２２ｆ，２２ｒのうち、後側のリンク節２２ｒを、後処理部１５の下部に設けられている燃料給油口２９の近傍に枢設することによって、補助ステップ２１が脱穀部１３の外側から突出するステップ姿勢Ｂにおいて、前記燃料給油口２９の近傍に、平行リンクＬの後側のリンク節２２ｒと補助ステップの２１の足載せ部２３による平面視でＴ字状の強固な支持構造が形成され、このＴ字状の強固な支持構造部上に重量の重い燃料補給用の携行缶Ｇを安定姿勢で仮載置できるようになり、それによって燃料補給作業における作業負荷が軽減される。
【００２０】
更に、重量の重い燃料補給用の携行缶Ｇを前記Ｔ字状の強固な支持構造部上に更に安定して載置できるように、当該支持構造部上に図５に示すような折畳み可能な給油台３０を設けてもよい。また、図３において二点鎖線で示すように簡易的な平板状の給油台３１を
設けてもよい。
【００２１】
尚、上述した補助ステップ２１の前側には、前処理部１４の未刈り地側の未刈り茎稈の機体側への倒れ込み規制するナローガイド３２が連結してあり、補助ステップ２１を脱穀部１３の外側に沿う収納姿勢Ａから、脱穀部１３の外側に突出するステップ姿勢Ｂに切り換えることによって、当該補助ステップ２１は、前記ナローガイド３２に連係して、脱穀部１３における未刈り地側の未刈り茎稈の機体側への倒れ込み規制するナローガイドとして作用する。
【図面の簡単な説明】
【００２２】
【図１】コンバインの平面図。
【図２】機体フレーム上に搭載される脱穀部及び後処理部の斜視図。
【図３】収納姿勢にある補助ステップの平面図。
【図４】ステップ姿勢にある補助ステップの平面図。
【図５】給油台の構成を示す斜視図。
【符号の説明】
【００２３】
１１    コンバイン
１２    機体フレーム
１３    脱穀部
１４    前処理部
１５    後処理部
１６    運転席
１７    操縦部
１８    穀粒タンク
２１    補助ステップ
２２ｆ  リンク節（前）
２２ｒ  リンク節（後）
２９    燃料給油口
Ａ      収納姿勢
Ｂ      ステップ姿勢
Ｅ      コンバインの後端部
ｅ      補助ステップ後端部
Ｌ      平行リンク
【図１】
2006288291.tif 000003
【図２】
2006288291.tif 000004
【図３】
2006288291.tif 000005
【図４】
2006288291.tif 000006
【図５】
2006288291.tif 000007